(57)【特許請求の範囲】
【請求項１】
伸張カウンターピンによって作用する挿入阻止作用を有する施錠システムの、タンブラーピン（ＺＨ）とカウンターピン（ＧＺＨ）とを有する割当てられたシリンダー（Ｚ）のためのセキュリティキーを製造するためのブランクＲであって、セキュリティキーは、キーの平坦側に少なくとも２つのコーディング行／ピン行（Ａｉ）を有しており、
−  ２つの平行な側溝ＲＢ−ＳＮと、側溝間の中央突出部ＲＢ−Ｍとを有し、それらは、キー軸（ｘ）と平行に、かつコーディング行／ピン行（Ａ）の中央平面に対して対称的に形成されていること、
−  側溝ＲＢ−ＳＮおよび中央突出部ＲＢ−Ｍは、キー先端から第１コーディング位置（Ｐ１、Ｐ２）のコーディング領域（ＲＢ−Ｐ）まで延びていること、
−  前記側溝ＲＢ−ＳＮは、キー先端の入口領域（ＲＢ−Ｅ）では高レベル（Ｎ１）で走り、第１コーディング位置（Ｐ１、Ｐ２）のコーディング領域（ＲＢ−Ｐ）では沈下して低レベル（Ｎ２）で走っていること、
−  側溝ＲＢ−ＳＮは、シリンダーの最も後ろのコーディング位置（Ｐ１、Ｐ２）にある伸張カウンターピンＲＢ−ＧＺＨおよび関連付けられた円筒形の特殊タンブラーピンＲＢ−ＺＨのキー軸（ｘ）に対して長手方向および横方向に延びる追加の側肩部ＲＢ−ＺＨ−Ｓに対応するように形作られていること、
−  そのため、ブランクの側溝ＲＢ−ＳＮと関連付けられた特殊タンブラーピンの側肩部ＲＢ−ＺＨ−Ｓとによって、入口領域（ＲＢ−Ｅ）における伸張カウンターピンＲＢ−ＧＺＨによって作用するさらなる挿入阻止、およびコーディング領域（ＲＢ−Ｐ）におけるさらなる回転阻止が実行可能であること、
を特徴とする、ブランク。
【請求項２】
中央突出部ＲＢ−Ｍは、コーディング領域（ＲＢ−Ｐ）では低レベル（ＲＢ−Ｍ（２））まで沈下していることを特徴とする、請求項１に記載のブランク。
【請求項３】
側溝ＲＢ−ＳＮおよび中央突出部ＲＢ−Ｍの全幅ｂｇ（２）は両側で、コーディング行（Ａ）のコーディングくぼみ（Ｃｏｄ−Ｖ）の幅（ｂｃｖ）よりも、ある量（ｂｂ）だけ大きく、すなわちｂｇ（２）＝ｂｃｖ＋２ｂｂであることを特徴とする、請求項１または２に記載のブランク。
【請求項４】
中央突出部ＲＢ−Ｍの幅（ｂｍ）は、全溝幅（ｂｇ）の少なくとも３３％であることを特徴とする、請求項１〜３のいずれか１項に記載のブランク。
【請求項５】
側溝ＲＢ−ＳＮの幅（ｂｎ）は、全溝幅（ｂｇ）の少なくとも２０％であることを特徴とする、請求項１〜４のいずれか１項に記載のブランク。
【請求項６】
側溝ＲＢ−ＳＮの内壁（１１）は、コーディング行（Ａ）の中心平面に対して角度Ｗｍで傾斜していることを特徴とする、請求項１〜５のいずれか１項に記載のブランク。
【請求項７】
角度Ｗｍは１０°〜４０°であることを特徴とする、請求項６に記載のブランク。
【請求項８】
傾斜角度Ｗａ＞０を有する傾斜ピン平面（Ａ）では、内側で、追加の側部溝ＲＢ−ｎｎが側溝ＲＢ−ＳＮに隣接しており、前記側部溝は、コーディング行（Ａ）の中心平面に直交する支持面を形成することを特徴とする、請求項１〜７のいずれか１項に記載のブランク。
【請求項９】
伸張カウンターピンによって作用する挿入阻止作用を有する施錠システムの、タンブラーピン（ＺＨ）とカウンターピン（ＧＺＨ）とを有する割当てられたシリンダー（Ｚ）のためのセキュリティキーであって、セキュリティキーは、キーの平坦側に少なくとも２つのコーディング行／ピン行（Ａｉ）を有しており、
−  ２つの平行な側溝ＲＢ−ＳＮと、側溝間の中央溝ＲＢ−ＭＮおよび中央突出部ＲＢ−Ｍとを有し、これらは、キー軸（ｘ）と平行に、かつコーディング行／ピン行（Ａ）の中央平面に対して対称的に形成されていること、
−  側溝ＲＢ−ＳＮおよび中央溝ＲＢ−ＭＮおよび中央突出部ＲＢ−Ｍは、キー先端から第１コーディング位置（Ｐ１、Ｐ２）のコーディング領域（ＲＢ−Ｐ）まで延びていること、
−  コーディング領域ＲＢ−Ｐにおける中央溝ＲＢ−ＭＮの領域において、第１コーディング位置（Ｐ１、Ｐ２）に、コーディングくぼみが形成されていること、
−  側溝ＲＢ−ＳＮは、キー先端の入口領域（ＲＢ−Ｅ）では高レベル（Ｎ１）で走り、第１コーディング位置（Ｐ１、Ｐ２）のコーディング領域（ＲＢ−Ｐ）では沈下して低レベル（Ｎ２）で走っていること、
−  側溝ＲＢ−ＳＮは、シリンダーの最も後ろのコーディング位置（Ｐ１、Ｐ２）にある伸張カウンターピンＲＢ−ＧＺＨおよび関連付けられた円筒形の特殊タンブラーピンＲＢ−ＺＨのキー軸（ｘ）に対して長手方向および横方向に延びる追加の側肩部ＲＢ−ＺＨ−Ｓに対応するように形作られていること、
−  そのため、キーの側溝ＲＢ−ＳＮと関連付けられた特殊タンブラーピンＲＢ−ＺＨの側肩部ＲＢ−ＺＨ−Ｓとによって、入口領域（ＲＢ−Ｅ）における伸張カウンターピンＲＢ−ＧＺＨによって作用するさらなる挿入阻止、およびコーディング領域（ＲＢ−Ｐ）におけるさらなる回転阻止が実行可能であること、
を特徴とする、セキュリティキー。
【請求項１０】
第１コーディング位置（Ｐ１、Ｐ２）のコーディングくぼみは、沈下した中央突出部ＲＢ−Ｍ（２）上に形成されることを特徴とする、請求項９に記載のキー。
【請求項１１】
側溝ＲＢ−ＳＮおよび中央溝ＲＢ−ＭＮの全幅ｂｇ（２）は両側で、コーディング行（Ａ）のコーディングくぼみ（Ｃｏｄ−Ｖ）の幅（ｂｃｖ）よりも、ある量（ｂｂ）だけ大きく、すなわちｂｇ（２）＝ｂｃｖ＋２ｂｂであることを特徴とする、請求項９または１０に記載のキー。
【請求項１２】
傾斜角度Ｗａ＞０を有する傾斜したコーディング行（Ａ）の中心平面では、内側で、追加の側部溝ＲＢ−ｎｎが側溝ＲＢ−ＳＮに隣接しており、前記側部溝は、コーディング行（Ａ）の中心平面に直交する支持面を形成することを特徴とする、請求項９〜１１のうちの１項に記載のキー。
【請求項１３】
コーディング領域におけるＲＢコーディングステップ深さＣｉ＊は、割当てられたタンブラーピンＲＢ−ＺＨの対応して異なる長さを有するものとして、コーディング行（Ａ）の標準コーディングステップ深さ（Ｃｉ）よりも高く、またはより深く位置していることを特徴とする、請求項９〜１２のうちの１項に記載のキー。
【請求項１４】
高レベル（Ｎ１）と低レベル（Ｎ２）との間の距離（ｄＮ）は、少なくとも１つのコーディングステップ長さ（ｄＣ）であることを特徴とする、請求項９〜１３のうちの１項に記載のキー。
【請求項１５】
施錠システムであって、
セキュリティキー（Ｓ）を有し、セキュリティキーは、キーの平坦側に少なくとも２つのコーディング行／ピン行（Ａｉ）を有しており、施錠システムはさらに、
タンブラーピン（ＺＨ）とカウンターピン（ＧＺＨ）とを有する割当てられたシリンダー（Ｚ）と、
伸張カウンターピンによって作用する挿入阻止作用とを有し、
−  キー（Ｓ）は、キー軸（ｘ）と平行に、かつピン行（Ａ）の中央平面に対して対称的に形成された、２つの平行な側溝ＲＢ−ＳＮ、中央溝ＲＢ−ＭＮおよび中央突出部と、中央溝ＲＢ−ＭＮの領域において第１コーディング位置（Ｐ１、Ｐ２）にあるコーディングくぼみとを有すること、
−  側溝ＲＢ−ＳＮ、中央溝ＲＢ−ＭＮおよび中央突出部ＲＢ−Ｍは、キー先端から第１コーディング位置（Ｐ１、Ｐ２）のコーディング領域（ＲＢ−Ｐ）まで延びていること、
−  前記側溝ＲＢ−ＳＮは、キー先端の入口領域（ＲＢ−Ｅ）では高レベル（Ｎ１）で走り、第１コーディング位置（Ｐ１、Ｐ２）のコーディング領域（ＲＢ−Ｐ）では沈下して低レベル（Ｎ２）で走っていること、
−  シリンダーの最も後ろのコーディング位置（Ｐ１、Ｐ２）にある円筒形の特殊タンブラーピンＲＢ−ＺＨを有する割当てられたシリンダー（Ｚ）では、前記特殊タンブラーピンは、キー軸（ｘ）に対して長手方向および横方向に延びる追加の側肩部ＲＢ−ＺＨ−Ｓを含むこと、
−  特殊タンブラーピンＲＢ−ＺＨのこれらの側肩部ＲＢ−ＺＨ−Ｓは、それらがキーの側溝ＲＢ−ＳＮに対応するように形作られていること、
−  入口領域（ＲＢ−Ｅ）では、側肩部ＲＢ−ＺＨ−Ｓまでの特殊タンブラーピンＲＢ−ＺＨおよび伸張カウンターピンＲＢ−ＧＺＨの長さ（ｌｓ）は、シリンダーハウジング（１０）から側溝ＲＢ−ＳＮまでの距離（ｄｓ）に対応すること、
−  第１コーディング位置（Ｐ１、Ｐ２）では、側肩部ＲＢ−ＺＨ−Ｓまでの特殊タンブラーピンＲＢ−ＺＨの長さ（ｌｚ）は、シアライン（９）から側溝ＲＢ−ＳＮまでの距離（ｄｚ）に対応しており、公差領域（ｔｏ）を有すること、
−  そのため、キーの側溝ＲＢ−ＳＮと割当てられた特殊タンブラーピンＲＢ−ＺＨの側肩部ＲＢ−ＺＨ−Ｓとを用いて、入口領域（ＲＢ−Ｅ）における伸張カウンターピンＲＢ−ＧＺＨによって作用するさらなる挿入阻止、およびコーディング領域（ＲＢ−Ｐ）におけるさらなる回転阻止が実行可能であること、
を特徴とする、施錠システム。
【請求項１６】
請求項１〜８のうちの１項に記載のブランク（Ｒ）から、請求項９〜１４のうちの１項に記載のキー（Ｓ）を、コーディングによって製造するための方法であって、
ブランク（Ｒ）上で、中央突出部ＲＢ−Ｍでの材料除去により、中央溝ＲＢ−ＭＮが入口領域（ＲＢ−Ｅ）に製造され、コーディングくぼみ（Ｃｏｄ−Ｖ）がコーディング領域（ＲＢ−Ｐ）の第１コーディング位置（Ｐ１、Ｐ２）に製造されることを特徴とする、方法。
【請求項１７】
ブランク上で、第１に、沈下した中央突出部ＲＢ−Ｍ（２）が、第１のミリングカッターによってコーディング領域（ＲＢ−Ｐ）に製造され、次に、側溝ＲＢ−ＳＮが、第２のミリングカッターによって、入口領域（ＲＢ−Ｅ）では高レベル（Ｎ１）で、コーディング領域（ＲＢ−Ｐ）では低レベル（Ｎ２）で製造されることを特徴とする、請求項１６に記載の方法。
【請求項１８】
ブランク上で、傾斜角度Ｗａ＞０を有する傾斜したコーディング行（Ａ）の中心平面）では、第１に、沈下した中央突出部ＲＢ−Ｍ（２）が、および追加の側部溝ＲＢ−ｎｎが、第１のミリングカッターによって生成されることを特徴とする、請求項１７に記載の方法。
【発明の詳細な説明】
【技術分野】
【０００１】
この発明は、独立請求項の導入部に従った、ブランク、セキュリティキー、およびセキュリティキーと割当てられたシリンダーとを有する施錠システム、ならびにブランクからセキュリティキーを製造するための方法に関する。
【背景技術】
【０００２】
施錠技術については、第１に、キーの無断複製をますますよい手段で防止し、またはそれをより困難にすること、および他方では、キーの可能な順列の数を増加させ、ひいては施錠システムのセキュリティも高めること、という基本的な課題が存在する。
【０００３】
セキュリティターンキーを有する施錠システムが、最も近い従来技術であるＥＰ１  １８５  ７５５から公知であり、それはキー先端に、コーディングされた阻止深さを有する水平の阻止溝を含んでいる。十分に深くない阻止溝を有するキーの完全な挿入を防止する、標準コーディングピン（コーディングタンブラーピン）および伸張標準阻止カウンターピンからなる阻止タンブラーピン対が、割当てられたシリンダーにおいて最も後ろのコーディング位置に取付けられる。この阻止溝コーディングは、高い順列容量をもたらす。しかしながら、そのような水平の阻止溝は依然として、コピーまたは複製がそれほど難しくはない。
【発明の概要】
【発明が解決しようとする課題】
【０００４】
したがって、この発明の目的は、定義およびコピーが難しく、かつより高い順列容量をさらに可能にする形状による、キーおよびブランクのための追加のセキュリティ機能、改良された複製予防により、公知のシステムの、特にＥＰ１  １８５  ７５５に従った公知の阻止コードシステムの特性を著しく改良する、ブランク、セキュリティキーを有し、割当てられたシリンダーを有するシステムを提供することである。また、長期間にわたり確実に機能すること、および摩耗に対する頑強性が達成されるはずであり、合理的で安価な連続生産が可能となるはずである。とりわけ、新規の形状はまた、いくつかのコーディング行を有するキー上の追加スペースを必要としないはずである。たった１種類のブランクにより、全市場範囲がカバーされるはずであり、キー加工サービスによるキーの無断複製が防止されるはずである。
【課題を解決するための手段】
【０００５】
この発明によれば、この目的は、特許請求項１に記載のブランク、特許請求項９に記載の割当てられたシリンダーとともに有するセキュリティキー、特許請求項１５に記載のセキュリティキーと割当てられたシリンダーとを有する施錠システム、特許請求項１６に記載のブランクからそのようなキーを製造するための方法によって達成される。
【０００６】
この新規のブランク阻止コードシステムは、たとえば以前の阻止コードシステムから発出しており、新規の特徴、特性および機能を追加で含み、それらにより、上述の目的は、図面によってもさらに示され説明されるように達成可能である。
【０００７】
これに対し、公知の阻止コードシステムＥＰ１  １８５  ７５５は、施錠システムであって、施錠設備用のセキュリティターンキーを有し、セキュリティターンキーは、キーＳの平坦側に配置された少なくとも３つのコーディング行／ピン行Ａ１、Ａ２、Ａ３を有し、施錠システムはさらに、所与のドリルパターンの位置にあるタンブラーピンおよびカウンターピンからなるタンブラーピン対のピン行を有する割当てられたシリンダーＺを有し、キーは、キー先端から少なくともキー上のピン行の第１コーディング位置Ｐ１までキー軸ｘと平行に走る水平の阻止溝ＢＮを含み、阻止溝は、コーディングされた阻止深さＢ１、Ｂ２、Ｂ３を有しており、阻止溝ＢＮに対応し、かつ、阻止タンブラーピンＢＺとしての標準タンブラーピンと、阻止カウンターピンＢＧとしての伸張カウンターピンとを有するタンブラーピン対が、割当てられたシリンダーにおいて少なくとも最も後ろのコーディング位置Ｐ１に設けられ、そのため、阻止溝が十分に深くない場合、阻止カウンターピンＢＧはシリンダーハウジング１０上に立ち、このため、十分に深くない阻止溝を有するキーの完全な挿入がタンブラーピン対によって阻止され、キーの挿入後、阻止カウンターピンＢＧを有する阻止タンブラーピンＢＺは位置Ｐ１で、シリンダーの回転に対する標準コーディングステップＣ１、Ｃ２、Ｃ３、Ｃ４を有するコーディングピンとしても適用される、施錠システムを含む。
【０００８】
新規のブランク阻止コードシステムの新規の重要な特徴はとりわけ、新規のブランクが、２つの平行な側溝と、それらの間の中央突出部とを含むことである。側溝は、入口領域では高レベルで、第１コーディング領域では低レベルで走っている。キーは、新規のブランクから製造され、入口領域では中央溝から、コーディング領域では中央突出部上のコーディングくぼみから形成される。ブランクの側溝およびキーの中央溝は、新規の複合ブランク阻止コード溝をもたらす。シリンダーでは、形状が側溝および中央溝に対応する側肩部を有する新規の特殊タンブラーピンが、キーに割当てられ、そのため、特殊タンブラーピンにより、入口領域における追加の挿入阻止、およびコーディング領域における追加の回転阻止が形成される。これにより、施錠システムのセキュリティが著しく高まり、偽造および無断キーコピーが防止される。
【０００９】
これらの新規の特徴は、ＥＰ１  １８５  ７５５の公知のシステムから導き出すことができない。その単純な水平の阻止溝ＢＮは、標準コーディングピンに対応しており、それは沈下しておらず、また、阻止タンブラーピンＢＺはコーディング行の標準コーディングピンである。さらに、高レベルから低レベルまで沈下した２つの側溝；コーディングくぼみを有する、ブランクおよびキー上の中央突出部；キー上の側溝および中央溝に対応する追加の側肩部を有する、シリンダーにおける特殊タンブラーピンが存在していない。ＥＰ１  １８５  ７５５によれば、追加の挿入阻止および追加の回転阻止は不可能である。
【００１０】
独立請求項に記載のこの発明は、所望の用途に従った所望の特性のさらなる改良および最適化を有する、異なる有利なさらなる実施形態変形例を可能にし、たとえば、ＲＢ溝の幅広化、沈下した中央突出部、標準コーディングステップとは異なるＲＢコーディングステップ、および／または非垂直ピン行のための追加の側部溝という追加の特徴を有する。
【００１１】
従属特許請求項は、施錠システムのセキュリティ、ブランク、キーおよびシリンダーの複製セキュリティに関して、長いサービス寿命に関して、合理的な製造および信頼できるサービス、ならびにより多い数の順列に関してさらなる利点を可能にする、この発明の有利なさらなる展開に関する。
【００１２】
この発明を、実施形態の例および図によって、以下により詳細に説明する。
【図面の簡単な説明】
【００１３】
【図１】２つの垂直の側溝と、中央突出部とを有する、この発明に従ったブランク、およびそれらのレベルを概略的に示す図である。
【図１ａ】ピン行の中央平面を通る長手方向断面図である。
【図１ｂ】キー先端の入口領域を通る断面図である。
【図１ｃ】第１コーディング位置のコーディング領域における図である。
【図２】側溝の内壁が傾斜したブランクの図である。
【図２ａ】入口領域を通る断面図である。
【図２ｂ】コーディング領域における図である。
【図３】２つの側溝と、中央突出部の領域における中央溝とを有する、この発明に従ったキーの図である。
【図３ａ】高レベルおよび低レベルにある、側溝、中央突出部および中央溝を有する、長手方向断面図である。
【図３ｂ】側溝、中央溝、および、側肩部と中央部とを有する割当てられた特殊タンブラーピン、ならびに、コーディング用のミリングカッターを有する、入口領域における断面図である。
【図３ｃ】コーディング領域の第１コーディング位置における図である。
【図３ｄ】第２コーディング位置における図である。
【図３ｅ】コーディング行の標準コーディングピン、および標準コーディングくぼみの図である。
【図３ｆ】幅広のＲＢ溝および幅広の特殊ＲＢタンブラーピンを有する一例の図である。
【図４】側溝と中央突出部と中央溝とを有するキーを有し、カウンターピンと側肩部を有する特殊タンブラーピンとを有する割当てられたシリンダーを有する、この発明に従った施錠システムの図である。
【図４ａ】長手方向断面図である。
【図４ｂ】入口領域における断面図である。
【図５】〜
【図８】割当てられたシリンダーの特殊タンブラーピンおよびカウンターピンを有するキーの断面図である。
【図５】挿入阻止の機能を有する入口領域における図である。
【図６】回転阻止の機能を有するコーディング領域における図である。
【図７】コーディング行の標準コーディングピンを有するコーディング領域における図である。
【図８】第１コーディング位置における、偽造キー、およびシリンダーの特殊タンブラーピンの図である。
【図９】〜
【図１１】キー上での、入口領域およびコーディング領域における異なるコーディングステップおよび溝形状の図である。
【図９】以前の阻止溝を有する以前のキー上での標準コーディングステップの図である。
【図１０】新規の組合されたＲＢ溝を有する新規のキー上での標準コーディングステップの図である。
【図１１】新規のＲＢコーディングステップの図である。
【図１２】ＲＢタンブラーピンを有する幅広のＲＢ溝の一例を示す図である。
【図１３ａ】側溝と中央突出部と側部溝とを有する、傾斜したコーディング行を有するブランクの一例の断面図である。
【図１３ｂ】ブランク、および、側溝と中央突出部と側部溝とを生成するためのミリングカッターの平面図である。
【図１３ｃ】ブランクの斜視図である。
【図１４ａ】ブランクから製造されるコーディングされたキーの斜視図である。
【図１４ｂ】割当てられた特殊タンブラーピンと、コーディング行の標準タンブラーピンとを有するキーの断面図である。
【図１５】異なるコーディングを有するキーの上からの図、および斜視図である。
【図１６】ミリングカッターを用いたブランクおよびキーの製造方法を、異なるステップで示す図である。
【図１７】〜
【図１９】特に幅広の中央溝を有するブランクおよびキーのさらに別の例の図である。
【図１７】割当てられたタンブラーピンを有するシリンダーにおける、ＲＢ溝を有するキーの断面図である。
【図１８】ＲＢタンブラーピンを有するシリンダーにおける同じ位置での間違ったキーの断面図である。
【図１９ａ】沈下した中央突出部を有するブランクの斜視図である。
【図１９ｂ】５つのコーディング行を有し、コーディングを有するキーの図である。
【発明を実施するための形態】
【００１４】
図１ａ〜ｃは、キー軸ｘと平行に、最初は高レベルＮ１で走り、次に低レベルＮ２まで沈下または低下する、２つの垂直の側溝ＲＢ−ＳＮと中央突出部ＲＢ−Ｍとを有する、この発明に従ったブランクＲを概略的に示す。それにより、７はブランクおよびキーの区域を示し、５はそれらの中央分岐平面を示す。
【００１５】
図１ａは、コーディング行Ａの中央平面を通る長手方向断面におけるブランクを、このコーディング行Ａの標準コーディングピンＣｏｄ−ＺＨ用のコーディングステップＣ１〜Ｃ４とともに示す。側溝ＲＢ−ＳＮは、キーの先端の入口領域ＲＢ−Ｅでは高レベルＮ１で走り、第１コーディング位置Ｐ１、Ｐ２のコーディング領域ＲＢ−Ｐでは低レベルＮ２で走り、第１コーディング位置Ｐ１、Ｐ２はたとえば、左手または右手ドリルパターンのコーディング位置Ｌ１１およびＲ５に対応している。中央突出部ＲＢ−Ｍは、キー表面７の高さで、または沈下した態様ででも、連続的に走ることができる。
【００１６】
最も単純な場合、中央突出部ＲＢ−Ｍは、ＲＢ−Ｍ（１）として連続的な態様で走り、（たとえば、ディスクミリングカッターによって）沈下した側溝を生成することによってのみ形成される。ブランク上の中央突出部はまた、用途に依存して、コーディング領域ＲＢ−ＰでＲＢ−Ｍ（２）として沈下し得る。キーのより単純なコーディングおよびより合理的な製造が、これで達成可能である。これについての製造方法は、たとえば、図１３ｂおよび図１６に関して説明される。
【００１７】
図１ｂは、高レベルＮ１の側溝を有するキー先端の入口領域ＲＢ−Ｅを通る断面を示す。
【００１８】
図１ｃは、コーディング領域ＲＢ−Ｐにおける、より深いレベルＮ２の沈下した側溝、および（それほど深くない）沈下した中央突出部ＲＢ−Ｍ（２）も示す。
【００１９】
図１ｃはまた、ＲＢ溝全体、側溝および中央突出部の幅、すなわちｂｇ、ｂｎおよびｂｍも示す（図３ｄ参照）。
【００２０】
タンブラーピンＺＨとカウンターピンＧＺＨとを有する割当てられたシリンダーＺのための、キーの平坦側に少なくとも２つのコーディング行／ピン行Ａｉを有するセキュリティキーＳを製造するための、この発明に従ったブランクＲは、２つの平行な側溝ＲＢ−ＳＮと、側溝間の中央突出部ＲＢ−Ｍとを有し、これらは、キー軸ｘと平行に、かつコーディング行／ピン行Ａの中央平面に対して対称的に形成されている。これらの側溝ＲＢ−ＳＮは、キー先端の入口領域ＲＢ−Ｅでは高レベルＮ１で走り、第１コーディング位置Ｐ１、Ｐ２のコーディング領域ＲＢ−Ｐでは低レベルＮ２で走っている。側溝ＲＢ−ＳＮは、シリンダーの伸張カウンターピンＲＢ−ＧＺＨおよび割当てられた特殊タンブラーピンＲＢ−ＺＨの追加の側肩部ＲＢ−ＺＨ−Ｓに対応するために、好適に形作られており、そのため、側溝ＲＢ−ＳＮと側肩部ＲＢ−ＺＨ−Ｓとによって、入口領域ＲＢ−Ｅにおける追加の挿入阻止、およびコーディング領域ＲＢ−Ｐにおける追加の回転阻止が実行可能である。
【００２１】
図２ａ、図２ｂは、コーディング行Ａの中央平面（ピン平面）に対して傾斜角度Ｗｍを有する、側溝ＲＢ−ＳＮの傾斜した内壁１１を有するブランクＲを示す。この傾斜角度Ｗｍは、たとえば１０°〜４０°であってもよく、側溝のさらなる形状変形例を可能にしてもよく、また、用途に応じて最適化されてもよい。
【００２２】
図２ａは、入口領域ＲＢ−Ｅにおける側溝ＲＢ−ＳＮの対応する形状を示し、 図２ｂは、コーディング領域ＲＢ−Ｐにおける該形状を示す。
【００２３】
ブランク上には、側溝ＲＢ−ＳＮと中央突出部ＲＢ−Ｍのみが存在する。複合ブランク阻止コード溝＝ＲＢ−ＳＮ  ＋  ＲＢ−ＭＮは、コーディングおよびコーディング用のミリングカッターで中央溝ＲＢ−ＭＮを製造するまで、キー上に形成されない。
【００２４】
図３ａ〜ｄは、２つの側溝ＲＢ−ＳＮと、中央突出部ＲＢ−Ｍ上にまたはその領域に製造された中央溝ＲＢ−ＭＮとを有する、この発明に従ったキーＳを示す。この例では、コーディング領域ＲＢ−Ｐにおいて、コーディング位置Ｐ１はコーディングステップＣ１で、コーディング位置Ｐ２はコーディングステップＣ２でコーディングされる。
【００２５】
図３ａは、キーＳを通る長手方向断面を示す。
図３ｂは、複合ＲＢ溝＝ＲＭ−ＭＮ  ＋  ＲＢ−ＳＮを有する入口領域ＲＢ−Ｅにおける断面を示す。これは、キーＳの側溝ＲＢ−ＳＮに対応する追加の側肩部ＲＢ−ＺＨ−Ｓを有する、シリンダーにおける割当てられた特殊タンブラーピンＲＢ−ＺＨに対応している。
【００２６】
また、標準コーディングピンＣｏｄ−ＺＨの形状に対応する、標準コーディングＣｉを（およびＲＢコーディングも）コーディングするためのコーディングミリングカッター１４も図示されている。これによってキーの入口領域において（不法に）製造された阻止溝ＢＮは、（追加の阻止区域Ｆｓ（図５および図１０参照）を有する）ＲＢタンブラーピンの側肩部ＲＢ−ＺＨ−Ｓによって阻止されるであろう。
【００２７】
図３ｃは、コーディング領域ＲＢ−Ｐにおける、ここでは最も深いコーディングＣ１を有するコーディング位置Ｐ１での断面を示し、そこでは、側溝ＲＢ−ＳＮはレベルＮ２に位置している。
【００２８】
図３ｄは、コーディング位置Ｐ２での、中央突出部ＲＢ−Ｍ上に中央溝ＲＢ−ＭＮを有するコーディングＣ２を示す。
【００２９】
側溝ＲＢ−ＳＮの幅ｂｎと、中央突出部ＲＢ−Ｍの幅ｂｍとは、互いに整合される。合わせて、総溝幅は、ｂｇ＝ｂｍ＋２ｂｎとなる。
【００３０】
これらの幅ｂｎおよびｂｍは、総溝幅ｂｇの、ｂｎ＝２０〜３３％、およびｂｍ＝３３〜６０％の領域に位置していてもよい。
【００３１】
好ましくは、中央突出部の幅ｂｍは、全溝幅ｂｇの少なくとも３３％であり、側溝の幅ｂｎは、全溝幅ｂｇの少なくとも２０％である。
【００３２】
図３ｅは、コーディング行Ａの標準コーディングピンＣｏｄ−ＺＨおよび標準コーディングくぼみＣｏｄ−Ｖを示す。
【００３３】
コーディング行ＡにおけるタンブラーピンＺＨとカウンターピンＧＺＨとを有する割当てられたシリンダーＺのための、キーの平坦側に少なくとも２つのコーディング行／ピン行Ａｉを有する、この発明に従ったセキュリティキーＳは、２つの平行な側溝ＲＢ−ＳＮと、側溝間の中央溝ＲＢ−ＭＮとを有し、これらは、キー軸ｘと平行に、かつコーディング行−ピン行Ａの中央平面に対して対称的に形成されており、コーディング領域ＲＢ−Ｐにおける中央溝ＲＢ−ＭＮの領域において、第１コーディング位置Ｐ１、Ｐ２に、コーディングくぼみが形成されている。キーは好ましくは、少なくとも３つまたはそれ以上のコーディング行Ａｉを含む。これらの側溝ＲＢ−ＳＮは、キーの先端の入口領域ＲＢ−Ｅでは高レベルＮ１で走り、第１コーディング位置Ｐ１、Ｐ２のコーディング領域ＲＢ−Ｐでは低レベルＮ２まで沈下している。これにより、コーディング領域における追加の順列が生成される。
【００３４】
側溝ＲＢ−ＳＮは、シリンダーの伸張カウンターピンＲＢ−ＧＺＨおよび割当てられた特殊タンブラーピンＲＢ−ＺＨの追加の側肩部ＲＢ−ＺＨ−Ｓに対応するために、好適に形作られており、そのため、キーの側溝ＲＢ−ＳＮとタンブラーピンＲＢ−ＺＨの側肩部ＲＢ−ＺＨ−Ｓとを用いて、入口領域ＲＢ−Ｅにおける追加の挿入阻止、またはコーディング領域ＲＢ−Ｐにおける追加の回転阻止が実行可能である。中央突出部ＲＢ−Ｍの領域では、入口領域ＲＢ−Ｅで追加の中央溝ＲＢ−ＭＮが生成可能であり、コーディング領域ＲＢ−ＰでＰ１、Ｐ２のコーディングが生成可能である。特殊タンブラーピンＲＢ−ＺＨは、キー上の第１コーディング位置Ｐ１、Ｐ２に対応する態様で、シリンダーにおいてピン行Ａの最も後ろの位置に配置されなければならない。
【００３５】
図３ｆは、コーディング行Ａの標準コーディングと比較して幅広のＲＢ溝：ＲＢ−Ｎ（２）を有するキーＳ（２）というさらに別の例を示す。（側溝ＲＢ−ＳＮおよび中央突出部ＲＢ−Ｍまたは中央溝ＲＢ−ＭＮを有する）ＲＢ溝の幅ｂｇ（２）は両側で、コーディング行ＡのコーディングくぼみＣｏｄ−Ｖの幅ｂｃｖよりも、ある量ｂｂだけ大きく、すなわち、ｂｇ（２）＝ｂｃｖ＋２ｂｂである（図１２および図１７参照）。この幅広化により、特に円筒形のタンブラーピンおよびコーディングについて、機能的信頼性、偽造セキュリティおよびサービス寿命といった特性のさらなる改良が達成可能である。
【００３６】
図４ａ、図４ｂは、側溝ＲＢ−ＳＮと沈下した中央突出部ＲＢ−Ｍ（２）と中央溝ＲＢ−ＭＮとを有するキーＳを有し、ならびに、伸張カウンターピンＲＢ−ＧＺＨと側肩部ＲＢ−ＺＨ−Ｓを有する特殊タンブラーピンＲＢ−ＺＨとを有する割当てられたシリンダーＺを有する、この発明に従った施錠システムを、長手方向断面および横断面で示す。入口領域ＲＢ−Ｅにおいて、これらのタンブラーピンは、まずタンブラーピンＲＢ−ＺＨの中央部ＲＢ−ＺＨ−Ｍにより、加えてその側肩部ＲＢ−ＺＨ−Ｓにより、偽造キーまたは間違ったキーに対する挿入ロックをもたらす。中央溝または側溝の深さが不十分な偽造キーでは、伸張カウンターピンＲＢ−ＧＺＨはシリンダーハウジング１０上に立ち、このため、偽造キーの完全な挿入が防止される。
【００３７】
同様に、コーディング形状およびコーディング深さが整合しない間違ったキーでは、コーディング領域ＲＢ−Ｐにおいて、特殊タンブラーピンＲＢ−ＺＨの側肩部ＲＢ−ＺＨ−Ｓおよび／または中央部ＲＢ−Ｍが正しくないコーディングくぼみ内に存在し、このためタンブラーピンＲＢ−ＺＨがシアライン９を越えてキーの回転を防止することにより、回転阻止が実現される。
【００３８】
施錠システムであって、キーの平坦側に少なくとも２つのコーディング行／ピン行Ａｉを有するセキュリティキーＳを有し、タンブラーピンＺＨとカウンターピンＧＺＨとを有する割当てられたシリンダーＺを有する、この発明に従った施錠システムは、コーディング行Ａにおける２つの平行な側溝ＲＢ−ＳＮおよび中央溝ＲＢ−ＭＮとを有するキーＳを含み、これらは、キー軸ｘと平行に、かつピン行Ａの中央平面に対して対称的に形成されており、キーＳはまた、中央溝ＲＢ−ＭＮの領域において第１コーディング位置Ｐ１、Ｐ２にあるコーディングくぼみを有する。これらの側溝ＲＢ−ＳＮは、キー先端の入口領域ＲＢ−Ｅでは高レベルＮ１で走り、第１コーディング位置Ｐ１、Ｐ２のコーディング領域ＲＢ−Ｐでは低レベルＮ２まで沈下している。シリンダーの最も後ろのコーディング位置Ｐ１、Ｐ２にある割当てられたシリンダーＺは、追加の側肩部ＲＢ−ＺＨ−Ｓを有する特殊タンブラーピンＲＢ−ＺＨを含む。
【００３９】
タンブラーピンＲＢ−ＺＨのこれらの側肩部ＲＢ−ＺＨ−Ｓは、それらがキーの側溝ＲＢ−ＳＮに対応するように形作られており、第１コーディング位置Ｐ１、Ｐ２では、タンブラーピンＲＢ−ＺＨおよびカウンターピンＲＢ−ＧＺＨから側肩部ＲＢ−ＺＨ−Ｓまでの長さｌｓは、シリンダーハウジング１０から側溝ＲＢ−ＳＮまでの距離ｄｓに対応しており、側肩部ＲＢ−ＺＨ−ＳまでのタンブラーピンＲＢ−ＺＨの長さｌｚは、シアライン９から側溝ＲＢ−ＳＮまでの距離ｄｚに対応しており、公差領域ｔｏを有し、そのため、キーの側溝ＲＢ−ＳＮと割当てられた特殊タンブラーピンＲＢ−ＺＨの側肩部ＲＢ−ＺＨ−Ｓとを用いて、入口領域ＲＢ−Ｅにおける追加の挿入阻止、およびコーディング領域ＲＢ−Ｐにおける追加の回転阻止が実行可能である。これは、側溝ＲＢ−ＳＮがない場合、または十分に深くない場合に、入口領域においてカウンターピンＲＢ−ＧＺＨがシリンダーハウジング１０上に立ち（挿入阻止）、コーディング領域において特殊タンブラーピンＲＢ−ＺＨがシアライン９を越える（回転阻止）ことによる。
【００４０】
図５〜図８はたとえば、新規のブランク阻止コードシステムの機能をさらに示しており、キーと、割当てられたシリンダーの特殊タンブラーピンＲＢ−ＺＨおよびカウンターピンＲＢ−ＧＺＨとを、断面で示す。
【００４１】
図５は、入口領域ＲＢ−Ｅにおける進入阻止の機能を示す。タンブラーピン対ＲＢ−ＺＨ  ＋  ＲＢ−ＧＺＨは、側肩部ＲＢ−ＺＨ−Ｓまでの長さｌｓを有しており、ここでｄｓは、シリンダーハウジング１０から側溝ＲＢ−ＳＮまでの距離を示す。長さｌｓプラス小さい（たとえば０．０５〜０．１ｍｍの）公差領域ｔｏは、距離ｄｓに対応しており、このためキーの挿入を可能にする。一方、組合された溝ＲＢ−ＭＮおよびＲＢ−ＳＮがない、または十分に深くない、偽造キーの場合、タンブラーピン対ＲＢ−ＺＨ  ＋  ＲＢ−ＧＺＨはシリンダーハウジング１０上に立ち、このため、偽造キーまたは間違ったキーの挿入を防止するであろう（図４ａ参照）。
【００４２】
図６は、コーディング領域ＲＢ−Ｐにおける回転阻止の機能を示す。キーは、正確にコーディングされた溝ＲＢ−ＭＮおよびＲＢ−ＳＮによって回転可能であり、それらにより、割当てられたタンブラーピンＲＢ−ＺＨの肩部ＲＢ−ＺＨ−Ｓまでの長さｌｚはまた、シアライン９からレベルＮ２の側溝ＲＢ−ＳＮまでの距離ｄｚよりも大きくない。そうではない場合、図８に図示するように回転不能である。
【００４３】
図７は、コーディング位置Ｐ１、Ｐ２での、シアライン９にも対応できる特殊タンブラーピンＲＢ−ＺＨではなく、ピン行Ａの（以前の）標準コーディングピンＣｏｄ−ＺＨを示す。しかしながら、この発明によれば、ＥＰ１  １８５  ７５５に記載の以前の阻止コードと同様に、適用されるのは特殊タンブラーピンＲＢ−ＺＨであって、このピン行Ａの標準コーディングピンではない。
【００４４】
図８は、第１コーディング位置Ｐ１、Ｐ２での偽造（変造）キーＳｂを示し、それにおいては、標準コーディングくぼみＣｏｄ−Ｖにおいて、領域ＲＢ−ＭＮにおけるコーディング深さＣ１は、おそらく正確にコピーされていたであろう（図７に従った以前の標準コーディングピンＣｏｄ−ＺＨと整合）。しかしながら、特殊タンブラーピンＲＢ−ＺＨは、側肩部ＲＢ−ＺＨ−ＳでコーディングくぼみＣｏｄ−Ｖ上に立ち、このため、シアライン９を越え（距離ａだけ阻止され）、回転を防止するであろう。正しくないキーＳｂのコーディング領域ＲＢ−ＰにおけるコーディングステップでのタンブラーピンＲＢ−ＺＨによる、この追加の回転阻止は、図９および図１０にも示される。
【００４５】
図９〜図１１は、キー上での、入口領域および第１コーディング位置における異なるコーディングステップＣｉおよび溝形状、ならびに以前の阻止溝（ＢＮ）と新規のＲＢ溝との比較を示す。
【００４６】
入口領域における以前の阻止溝（ＢＮ）の阻止区域と比較すると、サイズおよび阻止効果が同じである新規の複合ブランク阻止コードＲＢ溝＝ＲＢ−ＭＮ  ＋  ＲＢ−ＳＮの阻止区域は、より幅広であり、またそれほど深くない。これにより、位置Ｐ１、Ｐ２のコーディング用の最も深いコーディングステップＣ１までのより大きいコーディング深さ領域（たとえば、より多くのコーディングステップ）が利用可能である。または、以前の阻止溝（ＢＮ）と同じ深さであると仮定すると、新規のＲＢ溝の阻止区域および阻止効果はしたがって、入口領域ＲＢ−Ｅにおいてより大きい。レベルＮ１とＮ２との間の距離ｄＮは、少なくとも１つのコーディングステップｄＣでなければならない。好ましくは、Ｎ２は、最も深いコーディングステップ、ここでは図１０および図１１のＣ１に対応している。
【００４７】
図９は、コーディングステップＣ３よりも下に位置する深さＢ２を有する以前の阻止溝ＢＮを有する以前のまたは偽造キーＳｂ上での標準コーディングステップＣ１〜Ｃ４を示す。したがって、コーディング位置Ｐ１、Ｐ２のコーディング用に、Ｃ１およびＣ２という２つのステップしか残らない。
【００４８】
図１０は、図９と同じ大きさの阻止区域Ｆｓと、コーディングステップＣ３の高さと等しい下方深さとを有する、新規のＲＢ溝を示す。したがって、コーディングＰ１、Ｐ２用に、３つのステップＣ１、Ｃ２、Ｃ３が残る。
【００４９】
図１１は、図９の以前の阻止溝ＢＮと同じ深さ（Ｂ２）と、著しくより大きい阻止区域Ｆｓおよび阻止効果とを有する、新規のＲＢ溝を示す。さらに、ここでは、ＲＢコーディングステップＣ２＊およびＣ３＊は、標準コーディングステップＣ２およびＣ３よりも幾分深く設定可能であり、そのため、これにより、Ｐ１、Ｐ２のコーディング用の３つのステップ、すなわちＣ１、Ｃ２＊、Ｃ３＊が可能である。コーディング領域におけるＲＢコーディングステップＣｉ＊は、割当てられた特殊タンブラーピンＲＢ−ＺＨの対応して異なる長さを有するものとして、標準タンブラーピンＣｏｄ−ＺＨ用のコーディング行Ａの標準コーディングステップＣｉよりも高く、またはより深く位置していてもよい。
【００５０】
好ましくは、少なくとも１つのＲＢコーディングステップＣｉ＊は、標準コーディングステップＣｉに対応していなくてもよい。
【００５１】
このため、新規のＲＢ溝で、可能な順列の数および複製セキュリティを著しく増加させることができる。
【００５２】
入口領域ＲＢ−Ｅにおいて以前の阻止溝ＢＮを有し、（コーディング用のミリングカッター１４によって生成された）以前の標準コーディングくぼみを有する、以前のまたは偽造キーＳｂは、図６、図８、図９および図１０に示すように、入口領域およびコーディング位置での深さが、ＲＢ溝およびＲＢコーディングを有する正しいキーＳと等しい場合でさえ、（ＲＢ溝に対応する）特殊タンブラーピンＲＢ−ＺＨのために、
−  入口領域ＲＢ−Ｅでは、（追加の阻止区域Ｆｓにより）挿入を阻止され、
−  コーディング領域におけるコーディング位置Ｐ１、Ｐ２では、すべてのコーディングステップＣ１、Ｃ２、Ｃ３で回転を阻止されるであろう。
【００５３】
キー加工サービスによって、入口領域およびコーディング位置Ｐ１、Ｐ２で元のキーと同じ深さを有するように、コーディング用のミリングカッターを用いてコピーされたであろう、そのような不正または無断キーコピー（Ｓｂ）はしたがって、挿入阻止および回転阻止に直面するであろう。
【００５４】
図１２は、円筒形のタンブラーピンを有するコーディング行Ａの標準コーディングピンＣｏｄ−ＺＨおよびコーディングくぼみＣｏｄ−Ｖと比較した、ＲＢタンブラーピンを有する幅広のＲＢ溝のさらに別の例を示す。幅ｂｂに加え、ここでは距離ｂａが示されており、その分だけ、ＲＢタンブラーピンＲＢ−ＺＨは両側でコーディングくぼみＣｏｄ−Ｖを越えており、すなわち、ｂｒｚ（２）＝ｂｃｖ＋２ｂａである（図３ｅ、図３ｆおよび図１８も参照）。
【００５５】
図１３および図１４は、この発明に従ったブランクおよびキーのさらに別の例を示し、ここでは、ピン行Ａはｚ方向に対して１５°の傾斜角度Ｗａを有する。
【００５６】
図１３ａ、図１３ｂ、図１３ｃは、新規の設定された側溝ＲＢ−ＳＮおよび中央突出部ＲＢ−Ｍを有し、追加の側部溝ＲＢ−ｎｎを有するブランクＲを、異なる図で示す。
【００５７】
図１３ａは、入口領域ＲＢ−Ｅならびにコーディング領域ＲＢ−Ｐにおける、ピン行Ａの傾斜角度Ｗａ、側溝ＲＢ−ＳＮ、中央突出部ＲＢ−Ｍ、および側部溝ＲＢ−ｎｎを断面で示す。
【００５８】
図１３ｂは、１５°回転された（このため、ピン平面Ａの方向にある）ブランクの上からの図を示す。
【００５９】
この図はまた、第１に、沈下した中央突出部ＲＢ−Ｍ（２）が、シリンダーミリングカッター１５によってコーディング領域ＲＢ−Ｐに製造可能であり、次に、側溝ＲＢ−ＳＮが、ミリングカッター１６によって、入口領域ＲＢ−ＥではレベルＮ１で、コーディング領域ＲＢ−ＰではレベルＮ２で製造可能であることによる、ブランクの有利で合理的な製造を示す。この例では、側溝ＲＢ−ＳＮの垂直の内壁１１は、たとえばシリンダーミリングカッター１６により、傾斜した内壁１１は、円錐ミリングカッターにより加工される（たとえば、図２ａ、図２ｂ参照）。
【００６０】
図１３ｃは、ブランクを斜視図で示す。
傾斜角度Ｗａ＞０を有する傾斜ピン平面（Ａ）を有するブランクまたはキーでは、内側で、好ましくは追加の側部溝ＲＢ−ｎｎが側溝ＲＢ−ＳＮに隣接可能であり、前記側部溝は、コーディング平面／ピン平面Ａに直交する支持面を形成する。これにより、たとえば、ゼロタンブラーピンの導入が可能にされ、または最適化されてもよい。そのようなゼロタンブラーピンは、図１４ｂに示すように、下方コーディング部なしで、幅ｂ０を有する上部のみからなる。
【００６１】
この発明に従った方法では、ブランクＲからキーＳを製造するために、中央突出部ＲＢ−Ｍから材料を除去することによるブランクＲへのコーディングにより、中央溝ＲＢ−ＭＮが入口領域ＲＢ−Ｅに製造され、コーディングくぼみＣｏｄ−Ｖがコーディング領域ＲＢ−Ｐの第１コーディング位置Ｐ１、Ｐ２に製造される。それにより、側溝ＲＢ−ＳＮが第１に、ブランク上に高レベルＮ１で製造され、中央突出部ＲＢ−Ｍで低レベルＮ２で設定される。
【００６２】
次に、組合されたＲＢ溝＝ＲＢ−ＳＮ  ＋  ＲＢ−ＭＮの第２の部分ＲＢ−ＭＮがコーディングで製造され、キーの中央突出部ＲＢ−Ｍへのコーディングが製造される。これは、改良されたコピー予防、およびさらなるセキュリティ機能を可能にする。
【００６３】
沈下しない中央突出部ＲＢ−Ｍを有するブランクは、たとえば、ディスクミリングカッターによって沈下した側溝ＲＢ−ＳＮを製造することにより、単純に製造可能である。
【００６４】
好ましくは、ブランク上で、第１に、沈下した中央突出部ＲＢ−Ｍ（２）が、第１のミリングカッターによってコーディング領域（ＲＢ−Ｐ）に製造され、次に、側溝ＲＢ−ＳＮが、第２のミリングカッターによって、入口領域（ＲＢ−Ｅ）では高レベル（Ｎ１）で、コーディング領域（ＲＢ−Ｐ）では低レベル（Ｎ２）で製造可能である。
【００６５】
４つのコーディング行Ａ１〜Ａ４を有し、ブランクから製造された、コーディングされたキーＳを、図１４ａ、図１４ｂに示す。
【００６６】
図１４ａは、コーディング領域ＲＢ−Ｐにおいて、コーディング位置Ｐ１ではコーディングステップＣ１、コーディング位置Ｐ２ではコーディングステップＣ２を有するキーの斜視図であり、これらは中央突出部ＲＢ−Ｍ上で合体されている。
【００６７】
図１４ｂは、コーディング領域ＲＢ−Ｐにおけるコーディング位置での割当てられた特殊タンブラーピンＲＢ−ＺＨと、同じコーディング行の（すなわち、位置Ｐ３からの）標準コーディングピンＣｏｄ−ＺＨおよび標準コーディングくぼみＣｏｄ−Ｖとを有するキーの断面図である。
【００６８】
図１５は、幅が両側でｂｂだけ広く、幅ｂｇ（２）＝ｂｃｖ＋２ｂｂを有するＲＢ溝を有し、ここでは位置Ｐ１でＣ１＊、Ｐ２でＣ２＊、およびＰ３でＣ２という、標準コーディングステップとは異なるＲＢコーディングステップＣｉ＊を有する、キーのさらに別の例を、上から、および斜視図で示す。
【００６９】
図１６は、ミリングカッターを用いた、傾斜ピン平面Ａを有するブランクおよびキーの製造方法を、異なるステップで示す。
【００７０】
第１のステップａで、コーディング領域ＲＢ−Ｐにおいて、沈下した中央突出部ＲＢ−ＭＮ（２）をミリングし、ステップｂで、第１のミリングカッター１５によって側部溝ＲＢ−ｎｎをミリングし、次にステップｃで、第２のミリングカッター１６によって２つの側溝ＲＢ−ＳＮをミリングし、その後ステップｄで、コーディング用のミリングカッター１４によって、コーディング行Ａの標準コーディングのコーディング領域ＲＢ−Ｐ（Ｐ１、Ｐ２）ならびにさらに別のコーディング位置Ｐ３、Ｐ４などで、中央溝ＲＢ−ＭＮおよびコーディングくぼみをミリングする。
【００７１】
中央突出部ＲＢ−Ｍ（２）は好ましくは、最大で、最も上のコーディングステップの高さまで沈下され、ここでは最大でＣ２＊まで沈下される（図１０では最大でＣ３まで、図１１では最大でＣ３＊まで沈下される）。
【００７２】
図１７〜図１９は、シリンダーにおいて垂直のピン行Ａを有する、この発明に従ったブランクおよびキーのさらに別の実施形態の例を示す。ここでは、たとえば、中央溝を通るタンブラーピンの最小摩耗での特に良好な誘導のための、幅ｂｍｎを有する特に幅広の中央溝ＲＢ−ＭＮが、想定される。
【００７３】
図１７は、シリンダーにおけるＲＢ溝と、コーディング行Ａ１の割当てられたタンブラーピンとを有するキーの断面を示す。特殊タンブラーピンＲＢ−ＺＨは、最も深いコーディング位置、たとえばＰ１：Ｃ１に位置しており、そのため、正しいキーはシアライン９で回転可能である。同じコーディング行Ａ１の標準コーディングＣｏｄ−Ｖと比較した、ＲＢ溝の幅広化は、２ｂｂ＝ｂｇ（２）−ｂｃｖである。
【００７４】
図１８は、ＲＢタンブラーピンを有するシリンダーにおける同じ位置での間違ったキーＳｂの断面を示し、間違ったキーＳｂは、幅広のＲＢ溝ＲＢ−ＳＮおよびＲＢ−ＭＮの代わりに、標準コーディングＣｏｄ−Ｖを有する。ここで、ＲＢタンブラーピンはすでにキー表面７上に立っており、このため、シアライン９で回転を阻止する。これは、ここでタンブラーピンＲＢ−ＺＨの幅ｂｒｚが、標準コーディングくぼみＣｄ−Ｖの幅ｂｃｖよりも、２ｂａ＝ｂｒｚ−ｂｃｖの量だけ若干大きい（ｂａ）場合でさえ、事実である。これは、カウンターピンのスプリング（図４ａ参照）が、タンブラーピンＲＢ−ＺＨを狭いくぼみＣｏｄ−Ｖ内へと強制的に押し込むことができないためである。図１７の円筒形のタンブラーピンＲＢ−ＺＨおよびＣｏｄ−ＺＨを有するコーディング行Ａ１とは対照的に、キーはここでは、円錐形のタンブラーピンおよびくぼみＣｏｄ−Ｖ２を有するさらに別のコーディング行Ａ２も有する。
【００７５】
図１９ａ、図１９ｂは、（少なくとも）５つのコーディング行Ａ１〜Ａ５を有し、コーディングを有するブランクＲおよびキーＳの斜視図を示す。
【００７６】
図１９ａは、入口領域ＲＢ−Ｅにおいて側溝ＲＢ−ＳＮおよび中央突出部ＲＢ−Ｍを有し、コーディング領域ＲＢ−Ｐにおいてコーディング位置Ｐ１、Ｐ２について沈下している、ブランクＲを示す。
【００７７】
図１９ｂは、ブランクから製造されたコーディングされたキーＳを示し、ＲＢ形状は垂直のピン行Ａ１において合体されている（Ｗａ＝０°）。キーはここでは、コーディング領域ＲＢ−Ｐにおいて、中央突出部ＲＢ−Ｍ上に、以下のコーディングを含む：
−  コーディング位置Ｐ１でのコーディングステップＣ２、および
−  コーディング位置Ｐ２でのコーディングステップＣ１。
【００７８】
以下の用語は、この説明の枠組内で適用される。
【符号の説明】
【００７９】
ｘ：キー軸；ｘ、ｙ、ｚ：空間における方向；Ｒ：ブランク、キーブランク；Ｓ：キー；Ｓｂ：以前のキー、間違ったキー；Ｚ：シリンダー；Ｐｉ：コーディング位置；Ｒｉ、Ｌｉ：ドリルパターンの右手、左手のコーディング位置；Ａ：コーディング行、ピン行（中央平面）；Ｃｉ、Ｃｉ＊：コーディングステップ、コーディング；ＲＢ：ブランク阻止コード（機能）；ＲＢ−ＳＮ：ＲＢ側溝；ＲＢ−Ｍ：ＲＢ中央突出部；ＲＢ−ＭＮ：Ｓ上の中央溝；ＲＢ−Ｎ：複合ＲＢ溝＝ＲＢ−ＳＮ  ＋  ＲＢ−ＭＮ、またはＲＢ−ＳＮ  ＋  ＲＢ−Ｍ；ＲＢ−ｎｎ：側部溝；Ｃｏｄ−Ｖ：コーディングくぼみ；Ｃｏｄ−ＺＨ：コーディングピン（標準）、コーディングタンブラーピン；Ｃｏｄ−ＺＨ−Ｍ：コーディングピンの中央部（トレース部）；ＲＢ−ＺＨ：特殊ＲＢタンブラーピン；ＲＢ−ＧＺＨ：ＲＢカウンターピン；ＲＢ−ＺＨ  ＋  ＲＢ−ＧＺＨ：ＲＢタンブラーピン対；ＲＢ−ＺＨ−Ｓ：ＺＨ側肩部；ＲＢ−ＺＨ−Ｍ：ＺＨ中央部（コーディングトレース部）Ｆｓ：追加の阻止区域；ＲＢ−Ｅ：入口領域；ＲＢ−Ｐ：最も前の位置のコーディング領域（Ｐ１、Ｐ２1/4）；ｌｓ：ＲＢ−ＺＨ−ＳまでのＲＢ−ＺＨ  ＋  ＲＢ−ＧＺＨの長さ；ｄｓ：１０からＲＢ−ＳＮまでの距離；ｌｚ：ＲＢ−ＺＨ−ＳまでのＲＢ−ＺＨの長さ；ｔｏ：公差領域；ｄｚ：ＲＢ−ＳＮまでの９の距離；ｄＮ：Ｎ２までのＮ１の距離；ａ：ロックアウト距離；ｄＣ：１つのコーディングステップ；ｂｍ：ＲＢ−Ｍの幅；ｂｎ：ＲＢ−ＳＮの幅；ｂｇ：ＲＢ−Ｎ＝ＲＢ−ＳＮ  ＋  ＲＢ−Ｍの幅；ｂｎｎ：ＲＢ−ｎｎの幅；ｂｇ（１）＝ｂｃｖ；ｂｇ（２）＝ｂｃｖ＋２ｂｂ；ｂｒｚ：ＲＢ−ＺＨの幅；ｂｃｖ：Ｃｏｄ−Ｖの幅；ｂｃｚ：Ｃｏｄ−ＺＨの幅；ｂｂ：ＲＢ−Ｎの幅広化、ｂｇ（２）＝ｂｃｖ＋２ｂｂ；ｂａ：ｂｒｚ−ｂｃｖ＝２ｂａ；ｂｍｎ：ＲＢ−ＭＮの幅；ｂ０：ＺＨの上部の幅；Ｗｍ：１１の傾斜角度；Ｗａ：Ａの傾斜角度；５：Ｓの中央（分岐）平面；７：Ｓの表面；９：Ｚにおけるシアライン；１０：シリンダーハウジング；１１：ＲＢ−ＳＮの内壁；１４：コーディング用のミリングカッター；１５、１６：ブランク用のミリングカッター。
【図１ａ】
0006362598.tif 000002
【図１ｂ】
0006362598.tif 000003
【図１ｃ】
0006362598.tif 000004
【図２ａ】
0006362598.tif 000005
【図２ｂ】
0006362598.tif 000006
【図３ａ】
0006362598.tif 000007
【図３ｂ．３ｅ．３ｆ】
0006362598.tif 000008
【図３ｃ】
0006362598.tif 000009
【図３ｄ】
0006362598.tif 000010
【図４ａ−４ｂ】
0006362598.tif 000011
【図５】
0006362598.tif 000012
【図６】
0006362598.tif 000013
【図７】
0006362598.tif 000014
【図８】
0006362598.tif 000015
【図９−１１】
0006362598.tif 000016
【図１２】
0006362598.tif 000017
【図１３ａ】
0006362598.tif 000018
【図１３ｂ】
0006362598.tif 000019
【図１３ｃ】
0006362598.tif 000020
【図１４ａ】
0006362598.tif 000021
【図１４ｂ】
0006362598.tif 000022
【図１５】
0006362598.tif 000023
【図１６】
0006362598.tif 000024
【図１７】
0006362598.tif 000025
【図１８】
0006362598.tif 000026
【図１９ａ】
0006362598.tif 000027
【図１９ｂ】
0006362598.tif 000028